(57)【要約】【課題】電磁接触器の接続支持部材から外部電線が離脱されるか、または太い電線を挿入した場合、接続支持部材が一方に傾斜する現象を防止し得る電磁接触器用コイルターミナルアセンブリを提供する。【解決手段】本発明によるアセンブリは、固定接点と可動接点を有するスイッチ機構と、可動接点を駆動する磁気駆動力を提供するコイルとを有し、コイルに接続されるコイルターミナルと、螺旋状のネジ接続部が備えられた上部とコイルターミナル及び外部電線が挿入され得る空間を提供する胴部と内側底面が中央部に向かって傾斜した凹面から形成された底部とを有して、外部電線とコイルターミナルとの電気的接続を維持するように外部電線を加圧する位置又は外部電線をコイルターミナルから分離し得るように解放する位置に移動可能な接続支持部材と、接続支持部材を駆動する駆動ネジと、を含むことを特徴とする。【選択図】図１
2007080821.tif 000002
【特許請求の範囲】
【請求項１】
固定接点と該固定接点に接離するように可動する可動接点を有するスイッチングメカニズムと、前記可動接点を駆動する磁気駆動力を提供するためのコイルと、を備える電磁接触器において、
前記コイルに接続され、該コイルを磁化して前記可動接点を駆動するために外部電線と電気的に接続可能なコイルターミナルと、
螺旋状のネジ接続部が備えられた上部と、前記コイルターミナルと前記外部電線が挿入される開口が備えられて前記コイルターミナルと前記外部電線が挿入されて互いに電気的に接続され得る空間を提供する胴部と、前記外部電線を均衡に位置するように案内するために内側底面が中央部に向かって傾斜した凹面から形成された底部と、以上の上部、胴部、底部を有して、前記外部電線と前記コイルターミナルとの電気的な接続を維持するように前記外部電線を加圧する位置又は前記外部電線を前記コイルターミナルから分離し得るように解放する位置に移動可能な接続支持部材と、
該接続支持部材の前記ネジ接続部と螺合されるネジ面を有し、該ネジ面に沿って垂直方向に移動するように前記接続支持部材を駆動する駆動ネジと、を含むことを特徴とする電磁接触器用コイルターミナルアセンブリ。
【請求項２】
前記コイルターミナルは、前記外部電線との摩擦力を向上させるために１つの板面に複数の凸部を有することを特徴とする請求項１に記載の電磁接触器用コイルターミナルアセンブリ。
【請求項３】
前記外部電線の離脱を抑制するために、前記接続支持部材の内側底面には、前記外部電線の挿入方向と交差する方向に沿って所定の長さを有する係止溝が形成されていることを特徴とする請求項１に記載の電磁接触器用コイルターミナルアセンブリ。
【請求項４】
前記接続支持部材は、長いベルト状の金属片を折曲して形成した長方形の金属管から構成されていることを特徴とする請求項１に記載の電磁接触器用コイルターミナルアセンブリ。
【発明の詳細な説明】
【技術分野】
【０００１】
本発明は、電磁接触器のコイルターミナルアセンブリに関し、詳しくは、電磁接触器のコイルターミナルと外部電線とを接続する手段として接続支持部材から外部電線が離脱することを防止することができて、外部電線として太い電線を使用する場合、前記接続支持部材が一方に傾斜して前記接続支持部材を垂直方向に移動させる駆動ネジの駆動が困難になる現象を防止し得る電磁接触器用コイルターミナルアセンブリに関する。
【背景技術】
【０００２】
一般に、電磁接触器は、固定接点と該固定接点に接離するように可動する可動接点を有するスイッチングメカニズムと、前記可動接点を駆動する磁気駆動力を提供するためのコイルと、を備える。
【０００３】
また、前記電磁接触器は、前記可動接点を前記固定接点から分離される位置に付勢するスプリングを備える。従って、電磁接触器は、前記コイルに制御電流が流れるようにして前記コイルを磁化させることで、前記スプリングの付勢力を克服して前記可動接点を前記固定接点に接触する位置に駆動する。また、前記コイルに流れる制御電流を遮断して前記コイルを消磁すると、前記スプリングの付勢力により前記可動接点が前記固定接点から分離された位置に復帰する。
【０００４】
本発明は、前記のように電磁接触器の前記コイルのターミナルと前記制御電流を供給するための外部電線を接続するためのコイルターミナルアセンブリに関し、このようなコイルターミナルアセンブリの従来技術の一例を図５を参照して説明する。ここで、紹介する従来技術は、本出願の発明者の個人的な知識に基づいたもので、正確な文書の出所を明らかにし得ない。
【０００５】
図５は、従来の電磁接触器用コイルターミナルアセンブリを示す分解斜視図である。
【０００６】
図に示すように、従来の電磁接触器用コイルターミナルアセンブリは、ねじ回しが接続される溝が形成された頭部３１と、螺旋状の胴部３２と、下端部に備えられるアンカー部３３と、を有する駆動ネジ３０を含む。
【０００７】
また、前記コイルターミナルアセンブリは、前記駆動ネジ３０の回転によって該駆動ネジ３０の胴部３２の螺旋に沿って垂直方向、すなわち、上、下に移動可能となるように螺旋部１０ａからなる駆動ネジ接続孔１０ｃが備えられる上部面と、前記駆動ネジ３０のアンカー部３３が挿入されるアンカー孔１０ｂが備えられる底面と、を有する接続支持部材（rug boxともいう）１０をさらに含む。
【０００８】
前記コイルターミナルアセンブリは、前記接続支持部材１０の前記駆動ネジ接続孔と連通するネジ貫通孔２１を備え、前記電磁接触器の前記コイル（図示せず）に接続されてその一端部が前記接続支持部材１０内に挿入されるコイルターミナル２０を含む。
【０００９】
前記接続支持部材１０は、長方形の金属管（cylinder）から構成される。前記接続支持部材１０が前記電磁接触器に設置される時、電磁接触器の内部に対向する面が開口してコイルターミナル２０が挿入され、その反対側の開口した面にはコイル制御用外部電線が挿入される。また、前記接続支持部材１０は、前記２面が互いに連通するように構成される。
【００１０】
前記コイルターミナル２０は、板型の電気導体であり、その少なくとも一端部が前記接続支持部材１０内に挿入されて該接続支持部材１０内で前記外部電線と電気的に接続される。前記コイルターミナル２０の板面には、前記駆動ネジ３０の下端部のアンカー部３３の直径よりは大きいが、前記胴部３２の直径よりは小さい直径を有するネジ貫通孔２１が備えられ、該ネジ貫通孔２１は、前記接続支持部材１０の駆動ネジ接続孔１０ｃ及びアンカー孔１０ｂと連通するように位置が整列される。
【００１１】
前記駆動ネジ３０は、頭部３１と、該頭部３１より小さい直径を有して該頭部３１から下方に予め決定された長さで延びた胴部３２と、該胴部３２から下方に予め決定された長さで延びたアンカー部３３と、から構成される。
【００１２】
前記のように構成される従来の電磁接触器用コイルターミナルアセンブリにおいて、前記コイルターミナル２０にリング端子（ring terminal）を有する外部電線を接続する動作について説明する。
【００１３】
前述したように、前記コイルターミナル２０のネジ貫通孔２１と、前記接続支持部材１０の駆動ネジ接続孔１０ｃ及びアンカー孔１０ｂが連通するように整列された状態で、前記外部電線のリング端子を前記接続支持部材１０の前記開口から前記コイルターミナル２０の下に挿入する。
【００１４】
次いで、電磁接触器の側面に前記頭部３１の直径より少し大きく形成した駆動ネジ支持孔（図示せず）からねじ回しを挿入し、該ねじ回しにより前記駆動ネジ３０を時計方向に回転させる。
【００１５】
そうすると、前記接続支持部材１０が前記駆動ネジ３０の胴部３２の螺旋に沿って垂直方向、すなわち上方に上昇する。
【００１６】
ここで、前記駆動ネジ３０の頭部３１は、電磁接触器の側面に該頭部３１の直径より少し大きく形成した駆動ネジ支持孔及び支持孔を形成する壁面が前記駆動ネジ３０の頭部３１の長さより長く形成されることで、離脱防止される。
【００１７】
前記駆動ネジ３０が時計方向にさらに回転することで、前記接続支持部材１０の内側底面と前記コイルターミナル２０の間に外部電線の前記リング端子が圧着され、前記駆動ネジ３０のアンカー部３３が前記外部電線のリング端子と前記接続支持部材１０の底面上のアンカー孔１０ｂに挿入されて前記外部電線のリング端子が離脱することを防止する。
【発明の開示】
【発明が解決しようとする課題】
【００１８】
しかし、従来の電磁接触器用コイルターミナルアセンブリにおいては、外部電線が単純な円形断面を有する電気導体と該導体上に被覆される絶縁被覆層を有する一般電線の場合又は前記外部電線がＵ字状端子を有する場合、次のような問題点が発生する。
【００１９】
すなわち、前記リング端子を有する外部電線と前記コイルターミナル２０との接続動作が完了した後にも、外部電線を引っ張ると、外部電線が容易に離脱することがある。
【００２０】
これは、前記コイルターミナル２０の下部面と前記接続支持部材１０の内側下部面が全て平坦で、外部電線を位置固定するための手段がないために、前記外部電線を引っ張る外力に対抗して接続状態を維持し得ないためである。
【００２１】
また、従来の電磁接触器用コイルターミナルアセンブリにおいては、太い外部電線、すなわち、直径が大きくて重い外部電線を挿入すると次のような問題点が発生することがある。すなわち、前記接続支持部材１０の内側底面が図５に示すように平坦であるため、外部電線が不均衡に挿入されることがある。外部電線が不均衡に挿入されると、太い電線の偏った重量によって前記接続支持部材１０が一方に傾く。それによって前記駆動ネジ３０の胴部３２のネジ山と前記接続支持部材１０の螺旋部１０ａとが完全に接続されず、前記駆動ネジ３０を回転させることが難しくなるという問題点があった。
【００２２】
本発明は、前記のような問題点に鑑みてなされたもので、電磁接触器の接続支持部材から外部電線が離脱するか、または太い電線を挿入した場合、接続支持部材が一方に傾斜する現象を防止し得る電磁接触器用コイルターミナルアセンブリを提供することを目的とする。
【課題を解決するための手段】
【００２３】
このような目的を達成するため、本発明による電磁接触器用コイルターミナルアセンブリは、固定接点と該固定接点に接離するように可動する可動接点を有するスイッチングメカニズムと、前記可動接点を駆動する磁気駆動力を提供するためのコイルと、を備える電磁接触器において、前記コイルに接続され、該コイルを磁化して前記可動接点を駆動するために外部電線と電気的に接続可能なコイルターミナルと、螺旋状のネジ接続部が備えられた上部と、前記コイルターミナルと前記外部電線が挿入され得る開口が備えられて前記コイルターミナルと前記外部電線が挿入されて互いに電気的に接続され得る空間を提供する胴部と、前記外部電線を均衡に位置するように案内するために内側底面が中央部に向かって傾斜した凹面から形成された底部と、以上の上部、胴部、底部を有して、前記外部電線と前記コイルターミナルとの電気的な接続を維持するように前記外部電線を加圧する位置又は前記外部電線を前記コイルターミナルから分離し得るように解放する位置に移動可能な接続支持部材と、該接続支持部材の前記ネジ接続部と螺合されるネジ面を有し、該ネジ面に沿って移動するように前記接続支持部材を駆動する駆動ネジと、から構成されることを特徴とする。
【００２４】
好適形態において、前記コイルターミナルは、前記外部電線との摩擦力を向上させるために１つの板面に複数の凸部を有する。
【００２５】
好適形態において、前記外部電線の離脱を抑制するために、前記接続支持部材の内側底面には、前記外部電線の挿入方向と交差する方向に沿って所定の長さを有する係止溝が形成されている。
【００２６】
好適形態において、前記接続支持部材は、長いベルト状の金属片を折曲して形成した長方形の金属管から構成されている。
【００２７】
前記本発明の目的とこれを達成する本発明による電磁接触器用コイルターミナルアセンブリは、添付図面を参照した下記の好ましい実施形態についての詳細な説明によってさらに明確に理解されるであろう。
【発明の効果】
【００２８】
本発明によると、コイルターミナルの一端部の下側面に形成された凸部と接続支持部材の内側の底の凹面に形成された凹凸部によって外部電線の上面とコイルターミナル間の接触面積及び外部電線の下面と接続支持部材の底面間の接触面積が従来の電磁接触器用コイルターミナルアセンブリに比べて大幅に大きくなる。従って、外部電線がコイルターミナルから離脱されることを防止し得るという効果がある。
【００２９】
また、外部電線として太い電線を使用する場合にも接続支持部材の内側の底が中央部に向かって傾斜した凹面から構成され、太い電線が接続支持部材の凹面中央に均衡に位置するように案内される。従って、太い電線が不均衡に挿入されることによって接続支持部材が一方に傾斜して生じる締結ネジの締結、解放時の不具合が防止され得るという効果がある。
【発明を実施するための最良の形態】
【００３０】
添付図面を参照して本発明の実施形態について説明する。
【００３１】
本発明の一実施形態による電磁接触器用コイルターミナルアセンブリは、公知の電磁接触器に設置されるが、このような公知の電磁接触器は、固定接点（図示せず）と該固定接点に接離するように可動する公知の可動接点（図示せず）を有する通電部（図示せず）と、前記可動接点を駆動する駆動力を提供するための駆動部としてのコイル機構（図４の符号４００参照）と、を備える、例えば、外形が図３に示すような電磁接触器である。
【００３２】
図１において、本発明の一実施形態による電磁接触器用コイルターミナルアセンブリは、コイルターミナル２００を含むが、該コイルターミナル２００は、コイル機構（図４の符号４００参照）のコイル（図４の符号４００ａ参照）に接続され、該コイルを磁化して前記可動接点（図示せず）を駆動するために外部電線（図４のＷ１‐Ｗ３参照）と電気的に接続可能である。
【００３３】
ここで、外部電線としては、これに限定されるものではないが、図４に示すように、リング状端子Ｗ２ａが備えられた電線Ｗ２と、Ｕ字状端子Ｗ３ｂが備えられた電線Ｗ３と、内部が様々な太さの金属導線（metal conducting wire）Ｗ１ｂであって外部が電気絶縁材Ｗ１ａで被覆された電線Ｗ１の例を挙げることができる。
【００３４】
図１に示すように、本発明の一実施形態による電磁接触器用コイルターミナルアセンブリは、前記外部電線と前記コイルターミナル２００との電気的な接続を維持するように前記外部電線を加圧する位置又は前記外部電線を前記コイルターミナル２００から分離し得るように解放する位置に移動可能な接続支持部材１００を含む。
【００３５】
前記接続支持部材１００は、ネジ山１１１ａが形成されたネジ接続部１１１が備えられた上部１１０と、前記コイルターミナル２００と前記外部電線が挿入される開口が備えられて前記コイルターミナル２００と前記外部電線が挿入されて互いに電気的に接続され得る空間を提供する胴部１３０と、前記外部電線を均衡に位置するように案内するために内側底面１２０ａが中央部に向かって傾斜した凹面から構成される底部１２０と、を含む。
【００３６】
図１に示すように、本発明の一実施形態による電磁接触器用コイルターミナルアセンブリは、駆動ネジ３００を含む。該駆動ネジ３００は、前記接続支持部材１００の前記ネジ接続部１１１と螺合されるネジ面（threaded surface）３２０を有する。従って、前記駆動ネジ３００は、前記接続支持部材１００が前記ネジ面３２０に沿って移動するように駆動することができる。
【００３７】
本発明の一実施形態において、前記接続支持部材１００は、略帯状の金属ストリップを４回折曲して形成した長方形のシリンダーから構成される。前記接続支持部材１００の高さ方向に沿って対向する前記上部１１０と底部１２０のうち前記上部１１０には、駆動ネジ接続孔１１１ｂが備えられ、該駆動ネジ接続孔１１１ｂの内周面には、前記ネジ山１１１ａが備えられる。
【００３８】
前記接続支持部材１０の底部１２０の内側底面１２０ａには、アンカー孔１２２が備えられる。
【００３９】
前記外部電線の離脱を抑制するために、前記接続支持部材１００の内側底面１２０ａには、前記外部電線の挿入方向と交差する方向に沿って所定の長さを有する係止溝１２１が形成される。ここで、該係止溝１２１は、前記接続支持部材１００の内側底面１２０ａを凹凸面に形成することで、前記外部電線の離脱を防止するためのものである。また、前記係止溝１２１は、本発明の一実施形態において前記アンカー孔１２２を中心に図の前後位置にそれぞれ一つずつ備えられたが、該アンカー孔１２２の代わりに前記二つの係止溝１２１のような係止溝をさらに形成する他の実施形態があり得る。
【００４０】
図１に示すように、前記接続支持部材１００が前記電磁接触器に設置された時、前記接続支持部材１００は、両方向に貫通しているシリンダー型の構造であるため、一方向からコイルターミナル２００が挿入され、前記接続支持部材１００の他方向から前記外部電線が挿入される。
【００４１】
一方、前記コイルターミナル２００は、図１に示すように、板型の金属導電部材で構成される。
【００４２】
前記コイルターミナル２００の長手方向の一端部は、前記接続支持部材１００内に挿入されて前記外部電線と接続されることで、前記外部電線とコイル４００ａとが電気的に接続される。
【００４３】
図１に示すように、前記コイルターミナル２００の前記一端部は、前記接続支持部材１００内に挿入され、その挿入される前記一端部には、前記接続支持部材１００の駆動ネジ接続孔１１１ｂから延びた前記駆動ネジ３００が通過し得るように連通溝２１０が形成されている。
【００４４】
また、前記コイルターミナル２００の板面には、前記外部電線との摩擦力を向上させて前記外部電線の離脱を防止するために複数の凸部２２０が突出形成されている。
【００４５】
図４に示すように、前記コイルターミナル２００は、前記コイル機構４００のボビン（符号なし）の上部側面上に固定され、その長手方向の中間部分は、前記ボビンに巻回されたコイル４００ａに接続される。
【００４６】
一方、前記駆動ネジ３００の構成についてより詳細に説明する。
【００４７】
図１に示すように、前記駆動ネジ３００は、頭部３１０を有し、該頭部３１０から延びて該頭部３１０より小さい直径を有する胴部を有する。該頭部３１０の上端面には、ねじ回しのような工具を利用して前記駆動ネジ３００を回転させ得るように＋型の溝が形成されている。前記駆動ネジ３００の前記胴部の外周面には、前記接続支持部材１００のネジ山１１１ａに螺合し得るようにネジ面３２０が形成されている。前記胴部の下端部には、該胴部より直径が小さくて平坦な外周面を有し、所定の長さを有するターミナル接触部３４０が延設されている。該ターミナル接触部３４０の下端部は、前記コイルターミナル２００の上部面に接触し、前記ターミナル接触部３４０の下部には、該ターミナル接触部３４０より直径が小さくて平坦な外周面を有し、予め決定された長さを有するアンカー部３３０が延設される。該アンカー部３３０は、前記コイルターミナル２００の連通溝２１０を通過し、前記外部電線が、リング状端子部Ｗ２ｂを有する外部電線Ｗ２の場合、前記リング状端子部Ｗ２ｂの中央貫通孔を貫通して図１の内側底面１２０上に形成されたアンカー孔１２２内に延びる。
【００４８】
前記コイルターミナル２００の連通溝２１０の開口の長さ（Ｌ）は、前記ターミナル接触部３４０の外径よりは小さく、前記アンカー部３３０の外径よりは大きいので、前記コイルターミナル２００の連通溝２１０を前記駆動ネジ３００の前記アンカー部３３０のみが通過し得る。
【００４９】
一方、図４を参照して本発明による電磁接触器用コイルターミナルアセンブリが接続されるコイル機構４００について説明する。
【００５０】
前記コイル機構４００は、ボビンの上部側面に形成した案内溝を備え、該案内溝の内部に二つのコイルターミナル２００（図１参照）がそれぞれ挿入されて固定される。
【００５１】
前記コイルターミナル２００は、コイル４００ａの一端と連結されるコイル接続部をその長手方向の中間部に備え、各コイルターミナル２００の両端部の少なくとも一端部は、前記接続支持部材１００内に挿入されて前記駆動ネジ３００の一部と接触する。
【００５２】
前記駆動ネジ３００の上方には、端子カバー５００ａが設置される。該端子カバー５００ａには、前記駆動ネジ３００の頭部３１０を回転可能に支持すると同時に、ねじ回しを挿入して前記駆動ネジ３００の頭部に接続し得るように案内する案内穴と該案内穴を形成する円形壁が前記コイルターミナル２００の個数に応じて備えられる。前記端子カバー５００ａの上側の一部には、電磁接触器が開閉する電気線路（３相線路など）が連結される線路連結端子部の前方を遮蔽して埃などの侵入を防止するためのダストカバー５００ｂが線路の数に応じて備えられる。
【００５３】
この実施形態において、前記接続支持部材１００と端子カバー５００ａとダストカバー５００ｂは、図３に示すように、電磁接触器の高さのほぼ中間位置にそれぞれ下から上に順次設置される。
【００５４】
以下、このように構成される本発明による電磁接触器の端子構造における外部電線との接続動作及び分離動作について説明する。
【００５５】
本発明の一実施形態による電磁接触器用コイルターミナルアセンブリにリング端子Ｗ２ｂを有する外部電線Ｗ２を接続する動作について説明する。
【００５６】
まず、図４に示す状態のように、前記駆動ネジ３００の駆動により下降して前記接続支持部材１００の内側底面１２０ａとコイルターミナル２００の間に充分な挿入空間が確保された状態で、外部電線Ｗ２のリング状端子Ｗ２ｂを前記接続支持部材１００の開放された面から前記挿入空間（前記コイルターミナル２００の前記一端部と前記接続支持部材１００の内側底面１２０ａの間）内に挿入する。次いで、前記駆動ネジ３００を時計方向に回転させると、該駆動ネジ３００の回転によって前記接続支持部材１００が前記駆動ネジ３００のネジ山に沿って上方に移動する（最終的に図２のような状態になる）。前記駆動ネジ３００が時計方向に回転すると、前記接続支持部材１００の内側底面１２０ａと前記コイルターミナル２００の下部面の間に前記外部電線Ｗ２のリング状端子Ｗ２ｂが挟まれて支持されることにより、外部電線と前記コイルターミナル２００間の電気的な接続が行われる。
【００５７】
一方、本発明の一実施形態による電磁接触器用コイルターミナルアセンブリと外部電線との分離動作は、前記接続動作と反対に行われるが、これについて説明する。
【００５８】
前述したように、前記外部電線と前記コイルターミナル２００とが電気的に接続した状態で、前記駆動ネジ３００をねじ回しにより反時計方向に回転させると、該駆動ネジ３００の反時計方向回転によって前記接続支持部材１００が前記駆動ネジ３００のネジ面３２０に沿って下方に移動する。
【００５９】
前記駆動ネジ３００の反時計方向回転が進行されることで、前記接続支持部材１００の内側底面１２０ａとコイルターミナル２００の下部面の間に空間が形成される。ここで、前記駆動ネジ３００とコイルターミナル２００の相対位置は、変わることなく、前記駆動ネジ３００の回転によって前記接続支持部材１００のみが上下に垂直移動する。すなわち、前記駆動ネジ３００のターミナル接触部３４０の下端面が前記コイルターミナル２００の連通溝２１０の周囲の面に囲まれた収容された状態が前記駆動ネジ３００の回転に関係なく維持される。
【００６０】
前記空間の生成によって前記外部電線のリング状もしくはＵ字状端子部又は金属導線が解放されるので、外部電線を引っ張ると前記コイルターミナル２００から分離させることができる。
【００６１】
前記外部電線が絶縁被覆Ｗ１ａと金属導線Ｗ１ｂを有する電線Ｗ１やＵ字状端子Ｗ３ｂが一端部に付着された外部電線Ｗ３の場合にも、前記コイルターミナル２００の一端部の下側面に形成された凸部２２０と前記接続支持部材１００の内側底面１２０ａに形成された係合溝１２１によって前記外部電線の上面とコイルターミナル２００間の接触面積及び外部電線の下面と前記接続支持部材１００の内側底面１２０ａ間の接触面積が従来の電磁接触器用コイルターミナルアセンブリに比べて大幅に大きくなる。従って、前記外部電線のコイルターミナル２００からの意図しない離脱を防止することができる。
【００６２】
また、外部電線として金属導線Ｗ１ｂが太い電線Ｗ１を使用する場合にも前記接続支持部材１００の内側底面１２０ａによって前記接続支持部材１００の内側底面１２０ａの中央に太い電線Ｗ１が均衡に位置するように案内することができる。従って、太い電線Ｗ１が不均衡に挿入されることに起因し、前記接続支持部材１００が一方に傾いて生じる前記駆動ネジ３００の締結、解放時の不具合を防止することができる。
【図面の簡単な説明】
【００６３】
【図１】本発明の一実施形態による電磁接触器用コイルターミナルアセンブリを示す分解斜視図である。
【図２】本発明の一実施形態による電磁接触器用コイルターミナルアセンブリが組み立てられた状態を示す斜視図である。
【図３】本発明の一実施形態による電磁接触器用コイルターミナルアセンブリが設置された電磁接触器を示す斜視図である。
【図４】本発明の一実施形態による電磁接触器用コイルターミナルアセンブリが設置された電磁接触器のコイル機構を示す斜視図とコイルターミナルに接続される外部電線の例を示す斜視図である。
【図５】従来の電磁接触器用コイルターミナルアセンブリを示す分解斜視図である。
【符号の説明】
【００６４】
１００    接続支持部材
１１０    上部
１１１    ネジ接続部
１１１ａ    ネジ山
１２０    底部
１２０ａ    内側底面
１３０    胴部
２００    コイルターミナル
３００    駆動ネジ
３２０    ネジ面
【図１】
2007080821.tif 000003
【図２】
2007080821.tif 000004
【図３】
2007080821.tif 000005
【図４】
2007080821.tif 000006
【図５】
2007080821.tif 000007